(57)【要約】      （修正有）【課題】外枠を必要とせずに従来品より圧倒的に重量が軽く、一連の作業を少ない労力で簡単に行なえ、なおかつ耐久性が良く長く使用でき、高いコストをかけずに実施可能な縦型水耕栽培システム及び縦型水耕栽培方法の提供。【解決手段】保水性シート２とその両面を挟み込んだ通気性素材３、３とで構成される縦長の培地と、培地の外周を着脱可能に結束する結束バンド４１（固定手段４）と、両通気性素材３、３の外周側面を覆う遮光性フィルム５と、溶液収容タンクと、溶液収容タンクから保水性シート２に養液を供給する養液供給手段と、養液回収手段とを備え、前記養液供給手段から保水性シート２に養液を滴下させるように構成され、両通気性素材３、３は、保水性シート２と接する内側に植物の根が張ることができる低密度の通気性素材３１を配置し、その外側に保形性を有する通気性素材３２を配置する２層構造となっている。【選択図】図３
2020167946.tif 000002
【特許請求の範囲】
【請求項１】
保水性シートとその両面を挟み込んだ通気性素材とで構成される縦長の培地と、保水性シートと両通気性素材とを着脱可能な状態で一体に密着固定する固定手段と、養液収容タンクと、養液収容タンクから保水性シートに養液を供給する養液供給手段とを備え、前記養液供給手段から保水性シートに養液を滴下させるように構成された縦型水耕栽培システムであって、
前記両通気性素材は、少なくとも保水性シートと接する内側に植物の根が張ることができる低密度の通気性素材を配置し、その外側に保形性を有する通気性素材を配置する２層以上の複数層構造であることを特徴とする縦型水耕栽培システム。
【請求項２】
請求項１記載の縦型水耕栽培システムにおいて、
前記両通気性素材は、両通気性素材の４つの外周側面のうち、保水性シートと接する面を除く３つの側面が遮光フィルムで覆われていることを特徴とする縦型水耕栽培システム。
【請求項３】
請求項１又は２に記載の縦型水耕栽培システムにおいて、
前記固定手段が結束バンドであることを特徴とする縦型水耕栽培システム。
【請求項４】
請求項３に記載の縦型水耕栽培システムにおいて、
前記結束バンドが熱溶融性バンドであることを特徴とする縦型水耕栽培システム。
【請求項５】
請求項１又は２に記載の縦型水耕栽培システムにおいて、
前記固定手段が平面視略コ字状で開口側を窄め開口側両先端部に内向きに突出する係合突起を有する弾性素材よりなる弾性固定具であることを特徴とする縦型水耕栽培システム。
【請求項６】
保水性シートとその両面を挟み込んだ通気性素材とで構成される縦長の培地と、保水性シートと両通気性素材とを着脱可能な状態で一体に密着固定する固定手段と、養液収容タンクと、養液収容タンクから保水性シートに養液を供給する養液供給手段とを備え、前記養液供給手段から保水性シートに養液を滴下させるように構成された縦型水耕栽培方法であって、
前記両通気性素材は、少なくとも保水性シートと接する内側に植物の根が張ることができる低密度の通気性素材を配置し、その外側に保形性を有する通気性素材を配置する２層以上の複数層構造にすることを特徴とする縦型水耕栽培方法。
【請求項７】
請求項６記載の縦型水耕栽培方法において、
前記両通気性素材は、両通気性素材の４つの外周側面のうち、保水性シートと接する面を除く３つの側面を遮光フィルムで覆うことを特徴とする縦型水耕栽培方法。
【請求項８】
請求項６又は７に記載の縦型水耕栽培方法において
前記固定手段として結束バンドを用いることを特徴とする縦型水耕栽培方法。
【請求項９】
請求項８に記載の縦型水耕栽培方法において、
前記結束バンドとして熱溶融性バンドを用いることを特徴とする縦型水耕栽培方法。
【請求項１０】
請求項６又は７に記載の縦型水耕栽培方法において、
前記固定手段として平面視略コ字状で開口側を窄め開口側両先端部に内向きに突出する係合突起を有する弾性素材よりなる弾性固定具を用いることを特徴とする縦型水耕栽培方法。
【発明の詳細な説明】
【技術分野】
【０００１】
本発明は、縦型水耕栽培システム及び縦型水耕栽培方法に関する。
【背景技術】
【０００２】
従来、縦型水耕栽培システムとしては、特許文献１に記載の物が知られている。
特許文献１の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、前記縦型水耕栽培筒は、その一側面に植物の苗を植え込むための垂直方向のスリットを備え、前記培地は、保水性シートとその両面を挟み込んだ通気性素材とで構成されたものである。
【０００３】
すなわち、従来例の縦型水耕栽培システムでは、上述のように、縦型水耕栽培筒内に抜き差し可能に収容した培地を、植物の苗を植え込む保水性シートと、その両面を挟み込んだ通気性素材とで構成し、養液を保水性シート上端部に滴下させるようにしたことで、保水性シートと通気性素材との間に挟み込んだ植物の苗の根に確実に酸素が供給されるため、栽培植物の根腐れを防止することができ、また、培地として保水性シートと通気性素材の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる、という効果を有するものであった。
【先行技術文献】
【特許文献】
【０００４】
【特許文献１】特開２０１８−１３９２７号公報
【発明の概要】
【発明が解決しようとする課題】
【０００５】
しかしながら、従来例の縦型水耕栽培システムでは、保水性シートとその両面を挟み込んだ通気性素材とで構成される培地を、縦型水耕栽培筒内に抜き差し可能に収容した構造であるため、以下に述べるような問題点があった。
すなわち、従来例の縦型水耕栽培システムでは、保水性シートと通気性素材との間に植物の苗又は種を挟んだ状態の培地を縦型水耕栽培筒内に引き入れる作業が必要であるが、その際、特に苗の地下部の大き目な植物を定植する場合、大きな力が必要であるという問題があった。
また、植物の苗の地上部が挟む部分近くまで茂っている場合には引き入れる際にスリットのヘリで植物がこすれてしまう場合があり、それを避けるために慎重に時間をかけて引き入れ作業をしたり、複数の人員を割いて地上部保護と培地の引き入れ作業の分担作業にしなければならなかった。
また、同様に植物の栽培が終了した縦型水耕栽培筒を片付ける際にも、栽培中に肥大した植物の地下部が挟まれた培地を引き出すには大きな力が必要である。
また、繰り返し使用するために縦型水耕栽培筒を洗浄する際に、狭いスリット状の空き部分しかないので洗いづらく、きちんと洗えたか確認する作業も難しかった。
さらに、通気性素材・保水シートを封入した栽培筒の合計重量は重く、定植作業で複数本を運搬すると重労働であった。
以上のように、従来技術は作業性に種々の課題があった。
さらに、フック等でひっかけて抜き差しをするために、フックをひっかける部分が繰り返し使用すると伸びたりちぎれたりし、耐久性にも問題があった。
【０００６】
本発明の解決しようとする課題は、そもそも外枠を必要とせずに従来品より圧倒的に重量が軽く、植物の苗又は種の定植等の栽培のための準備作業から栽培期間中・栽培終了後の撤去・撤去後の外枠の洗浄作業など一連の作業を少ない労力で簡単に行なえ、なおかつ  耐久性が良く長く使用でき、高いコストをかけずに実施可能な縦型水耕栽培システム及び縦型水耕栽培方法を提供することにある。
さらに、外枠をなくした際、植物の根部分に直接光が当たらないようにすることを目的とする。
【課題を解決するための手段】
【０００７】
上記課題を解決するため請求項１記載の縦型水耕栽培システムは、保水性シートとその両面を挟み込んだ通気性素材とで構成される縦長の培地と、保水性シートと両通気性素材とを着脱可能な状態で一体に密着固定する固定手段と、養液収容タンクと、養液収容タンクから保水性シートに養液を供給する養液供給手段とを備え、前記養液供給手段から保水性シートに養液を滴下させるように構成された縦型水耕栽培システムであって、
前記両通気性素材は、少なくとも保水性シートと接する内側に植物の根が張ることができる低密度の通気性素材を配置し、その外側に保形性を有する通気性素材を配置する２層以上の複数層構造であることを特徴とする。
【０００８】
請求項２記載の縦型水耕栽培システムは、請求項１記載の縦型水耕栽培システムにおいて、
前記両通気性素材は、両通気性素材の４つの外周側面のうち、保水性シートと接する面を除く３つの側面が遮光フィルムで覆われていることを特徴とする。
【０００９】
請求項３記載の縦型水耕栽培システムは、請求項１又は２に記載の縦型水耕栽培システムにおいて、
前記固定手段が結束バンドであることを特徴とする。
【００１０】
請求項４記載の縦型水耕栽培システムは、請求項３に記載の縦型水耕栽培システムにおいて、
前記結束バンドが熱溶融性バンドであることを特徴とする。
【００１１】
請求項５記載の縦型水耕栽培システムは、請求項１又は２に記載の縦型水耕栽培システムにおいて、
前記固定手段が平面視略コ字状で開口側を窄め開口側両先端部に内向きに突出する係合突起を有する弾性素材よりなる弾性固定具であることを特徴とする。
【００１２】
請求項６記載の縦型水耕栽培方法は、保水性シートとその両面を挟み込んだ通気性素材とで構成される縦長の培地と、保水性シートと両通気性素材とを着脱可能な状態で一体に密着固定する固定手段と、養液収容タンクと、養液収容タンクから保水性シートに養液を供給する養液供給手段とを備え、前記養液供給手段から保水性シートに養液を滴下させるように構成された縦型水耕栽培方法であって、
前記両通気性素材は、少なくとも保水性シートと接する内側に植物の根が張ることができる低密度の通気性素材を配置し、その外側に保形性を有する通気性素材を配置する２層以上の複数層構造にすることを特徴とする。
【００１３】
請求項７記載の縦型水耕栽培方法は、請求項６記載の縦型水耕栽培方法において、
前記両通気性素材は、両通気性素材の４つの外周側面のうち、保水性シートと接する面を除く３つの側面を遮光フィルムで覆うことを特徴とする。
【００１４】
請求項８記載の縦型水耕栽培方法は、請求項６又は７に記載の縦型水耕栽培方法において、
前記固定手段として結束バンドを用いることを特徴とする。
【００１５】
請求項９記載の縦型水耕栽培方法は、請求項８に記載の縦型水耕栽培方法において、
前記結束バンドとして熱溶融性バンドを用いることを特徴とする。
【００１６】
請求項１０記載の縦型水耕栽培方法は、請求項６又は７に記載の縦型水耕栽培方法において、
前記固定手段として平面視略コ字状で開口側を窄め開口側両先端部に内向きに突出する係合突起を有する弾性素材よりなる弾性固定具を用いることを特徴とする。
【発明の効果】
【００１７】
本発明では、上述のように、前記両通気性素材として、少なくとも保水性シートと接する内側に植物の根が張ることができる低密度の通気性素材を配置し、その外側に保形性を有する通気性素材を配置する２層以上の複数層構造にすることで、従来用いられた重い外枠を省略することができ、これにより、植物の苗又は種の定植等の栽培のための準備作業から栽培期間中・栽培終了後の撤去・撤去後の外枠の洗浄作業など一連の作業を少ない労力で簡単に行なえるようになる。
【００１８】
また、前記両通気性素材の外周側面を遮光フィルムで覆うことで、植物の根に光が当たることを防止することができる。
また、養液が通気性素材の外に漏れ出るのを阻止することで、培地の乾燥を防止することができる。
【００１９】
また、前記固定手段として結束バンドを用いることで、簡易な紐等を用いて結束及び解体作業を簡単に行えるようになる。
【００２０】
また、前記結束バンドとして熱溶融性バンドを用いることで、熱溶着により培地の結束作業を簡略化することができる。
【００２１】
また、前記固定手段として弾性固定具を用いることで、培地に対する弾性固定具の着脱作業を弾性を利用して簡単に行えるようになると共に、弾性固定具の再利用が可能となる。
【図面の簡単な説明】
【００２２】
【図１】実施例１の縦型水耕栽培システムを示す全体説明図である。
【図２】図１のＡ−Ａ線における拡大横断断面図である。
【図３】実施例１の縦型水耕栽培システムを示す要部拡大縦断正面図である。
【図４】実施例２の固定手段を示す平面図である。
【図５】実施例２の固定手段を示す側面図である。
【図６】実施例２の固定手段の使用状態を示す横断平面図である。
【発明を実施するための形態】
【００２３】
以下にこの発明の実施例を図面に基づいて説明する。
【実施例１】
【００２４】
まず、この実施例１の縦型水耕栽培システムを図面に基づいて説明する。
この実施例１の縦型水耕栽培システムは、図１〜３に示すように、保水性シート２とその両面を挟み込んだ通気性素材３、３とで構成される縦長の培地１と、培地１の外周を着脱可能に結束する結束バンド４１（固定手段４）と、両通気性素材３、３の外周側面を覆う遮光性フィルム５と、溶液収容タンク６と、溶液収容タンク６から保水性シート２に養液７を供給する養液供給手段８と、養液回収手段９とを備え、前記養液供給手段８から保水性シート２に養液７を滴下させるように構成されている。
【００２５】
さらに詳述すると、前記両通気性素材３は、保水性シート１と接する内側に植物の根が張ることができる低密度の通気性素材３１を配置し、その外側に保形性を有する通気性素材３２を配置する２層構造となっている。
【００２６】
前記遮光性フィルム５は、両通気性素材３１、３２の４つの外周側面のうち、保水性シート２と接する面を除く３つの側面に対し接着剤や、熱溶着等により接着して一体化させている。
なお、熱溶着させる場合は、通気性素材３１、３２、と遮光フィルム５の素材として熱溶融性素材が用いられる。
【００２７】
前記結束バンド４１は、この実施例１では熱溶融性バンドが用いられている。
【００２８】
前記培地１は、ハウス等の天井に沿って備えた吊下げパイプ９ａに吊下部材（針金又は紐）９ｂを介して吊下げた状態で備えられている。
【００２９】
前記養液供給手段８は、図１、３に示すように、養液供給ポンプ８ａを備え、養液収容タンク６から養液供給パイプ８ｂを介して保水性シート２の上端部に養液７を滴下させる。
なお、保水性シート２はその上端部を両通気性素材３、３の上端面に沿わせることで、通気性素材３、３側への養液７の漏れを阻止し、これにより養液７全てを保水性シート２に吸収させるようにしている。
【００３０】
前記養液回収手段９は、保水性シート２の下端部から滴下する養液７を受け止めるドレンパン９１と、養液回収循環ポンプ９２とを備え、ドレンパン９１に溜まった養液７を養液回収循環ポンプ９２で養液収容タンク６に回収循環させる。
【００３１】
なお、保水性シート２は、１枚のシートである必要は必ずしもなく、複数枚のシートを重ねて使用してもよい。
例えば、厚さ１mmのシートを２枚以上重ねて通気性素材３、３に挟んで使用してもよい。
【００３２】
次に、この実施例１の作用を説明する。
この実施例１の縦型水耕栽培システムでは、上述のように構成されるため、図３に示すように、保水性シート２と両通気性素材３１、３１のいずれか一方との相互間に植物の苗又は種子１０を植え込んだ状態で、養液供給ポンプ８ａで養液７を保水性シート２の上端部に滴下させると、保水性シート２と接した苗又は種子１０は、保水性シート２から養液７を吸収して成長する。
【００３３】
次に、この実施例１の効果を説明する。
この実施例１の縦型水耕栽培システムでは、上述のように、前記両通気性素材３、３として、保水性シート２と接する内側に植物の根が張ることができる低密度の通気性素材３１を配置し、その外側に保形性を有する通気性素材３２を配置する２層構造にすることで、従来用いられた重い外枠を省略することができ、これにより、植物の苗又は種１０の定植等の栽培のための準備作業から栽培期間中・栽培終了後の撤去・撤去後の外枠の洗浄作業など一連の作業を少ない労力で簡単に行なえるようになる。
【００３４】
また、前記両通気性素材の外周側面を遮光フィルム５で覆うことで、植物の根に光が当たることを防止することができる。
また、養液７が通気性素材３、３の外に漏れ出るのを阻止することで、培地１の乾燥を防止することができる。
【００３５】
また、前記固定手段４として結束バンドを用いることで、簡易な紐等を用いて結束及び解体作業を簡単に行えるようになる。
【００３６】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３７】
この実施例２の縦型水耕栽培システムは、図４〜６に示すように、固定手段４として、略コ字状で開口側を窄め開口側両先端部に内向きに突出する係合突起４ａを有する弾性素材よりなる弾性固定具４２を用いるようにした点が前記実施例１と相違するものである。
【００３８】
この実施例２の固定手段４では、上述のように構成されるため、図６に示すように、培地１における遮光フルムで覆った両通気性素材３１、３１の側面に沿わせて差し込むことにより、弾性固定具４２の弾性反発力により両係合突起４ａが培地１の反対側両端部に係合し、取り付け状態を完了する。
この実施例２によれば、培地１に対する弾性固定具４２の着脱作業が弾性を利用して簡単に行えるようになると共に、弾性固定具４２の再利用が可能となる。
【００３９】
以上本実施例を説明してきたが、本発明は上述の実施例に限られるものではなく、本発明の要旨を逸脱しない範囲の設計変更等があっても、本発明に含まれる。
【００４０】
例えば、実施例では、培地１をハウスの天井等に吊下げた状態で備えた例を示したが、床面に立設した状態で備えるようにしてもよい。
【００４１】
また、実施例１では、固定手段４として結束バンド４１を用いたが、ワイヤー、紐、テープ等簡易なものを用いることができる。
【００４２】
また、実施例では、両通気性素材３、３を低密度の通気性素材３１と保形性を有する通気性素材３２との２層構造としたが、２層以上であってもよい。
【００４３】
また、縦型水耕栽培システム又は方法の光源としては、太陽光の他にＬＥＤ等の人工光を用いることができる。
【符号の説明】
【００４４】
１  培地
２  保水性シート
３  通気性素材
３１  低密度の通気性素材
３２  保形性を有する通気性素材
４  固定手段
４ａ  係合突起
４１  結束バンド
４２  弾性固定具
５  遮光フィルム
６  養液収容タンク
７  養液
８  養液供給手段
８ａ  養液供給ポンプ
８ｂ  養液供給パイプ
９  養液回収手段
９１  ドレンパン
９２  養液回収循環ポンプ
９ａ  吊下げパイプ
９ｂ  吊下部材
１０  植物の苗又は種子
【図１】
2020167946.tif 000003
【図２】
2020167946.tif 000004
【図３】
2020167946.tif 000005
【図４】
2020167946.tif 000006
【図５】
2020167946.tif 000007
【図６】
2020167946.tif 000008